(57)【要約】    【課題】  設計自由度を高くすると共に使用する抜き型の数を減らして製品のコストアップを抑制する。    【解決手段】  折り目線を介して接続された複数の構成片部を備える板状の材料を前記折り目線に沿って折り曲げて立体的に組み立てられた第１及び第２の緩衝部材並びに付属品箱４を有する包装箱であって、前記付属品箱４を構成する複数の構成片部のうちから選択された構成片部１１内に前記付属品箱４の一部を構成する構成部品となる補助片部１２を切り取り容易に一体的に設けたものである。【選択図】      図３
2006193195.tif 000002
【特許請求の範囲】
【請求項１】
折り目線を介して接続された複数の構成片部を備える板状の材料を前記折り目線に沿って折り曲げて立体的に組み立てられた内容物支持部材を有する包装箱であって、
前記内容物支持部材を構成する複数の構成片部のうちから選択された所定の構成片部内に前記内容物支持部材の一部を構成する構成部品となる補助片部を切り取り容易に一体的に設けたことを特徴とする包装箱。
【請求項２】
前記選択された構成片部は、前記補助片部を切り取った後も所定以上の強度の確保が可能な構成片部であることを特徴とする請求項１記載の包装箱。
【請求項３】
前記補助片部は、前記構成片部との間に少なくとも二箇所の結合部を残して切り込み部を入れて形成されたことを特徴とする請求項１記載の包装箱。
【請求項４】
前記補助片部には、前記内容物支持部材の一部を構成する構成部品を組み立てる折り目線を予め形成したことを特徴とする請求項１記載の包装箱。
【請求項５】
前記内容物支持部材は、箱本体内に収容された内容物に対する外部からの衝撃を緩和する緩衝材と、前記内容物の付属品を収納する付属品箱とからなることを特徴とする請求項１記載の包装箱。
【発明の詳細な説明】
【技術分野】
【０００１】
本発明は、内容物を内容物支持部材で支持して箱本体内に収容して保管し、搬送する包装箱に関し、上記内容物支持部材を構成する複数の構成片部のうちの所定の構成片部内に上記内容物支持部材の構成部品となる補助片部を切り取り容易に一体的に設け、設計自由度を高くすると共に使用する抜き型の数を減らして製品のコストアップを抑制しようとする包装箱に係るものである。
【背景技術】
【０００２】
従来の包装箱は、箱本体内に収容される内容物を嵌め込んで外部からの衝撃を緩和して支持する内容物支持部材が、折り目線を介して接続された複数の構成片部を備える板状の材料、例えば段ボールを前記折り目線に沿って折り曲げて立体的に組み立てるものとなっている（例えば、特許文献１参照）。
【特許文献１】特開２０００−１４２８１４号公報
【発明の開示】
【発明が解決しようとする課題】
【０００３】
しかし、このような従来の包装箱においては、上記内容物支持部材は、基本的に一型一品で製作された段ボールの抜き型物からなるものであるので、一枚の段ボールの抜き型物を折り曲げて形成できる立体的構造物には設計上の制約があり、複雑な形状のものは作るのが困難であった。
【０００４】
この場合、複数の構成部品に分解して作製し、各構成部品を組立てる方法も考えられるが、型数を増やすと抜き型代や複数の構成部品の製作に要する段取り費や工数が増加し、製品コストが嵩む虞がある。
【０００５】
これに対して、一型数点取りといった考え方もあるが、型が大きくなると型代が増す上、製作できる型の大きさにも限界があることから、良策とは言い難い。
【０００６】
そこで、本発明は、このような問題点に対処し、設計自由度を高くすると共に使用する抜き型の数を減らして製品のコストアップを抑制しようとする包装箱を提供することを目的とする。
【課題を解決するための手段】
【０００７】
上記目的を達成するために、本発明による包装箱は、折り目線を介して接続された複数の構成片部を備える板状の材料を前記折り目線に沿って折り曲げて立体的に組み立てられた内容物支持部材を有する包装箱であって、前記内容物支持部材を構成する複数の構成片部のうちから選択された所定の構成片部内に前記内容物支持部材の一部を構成する構成部品となる補助片部を切り取り容易に一体的に設けたものである。
【０００８】
このような構成により、板状の材料に折り目線を介して接続された複数の構成片部のうちから選択された所定の構成片部内に一体的に設けられた補助片部を構成片部から切り取り、該補助片部で内容物支持部材の一部を構成する構成部品を組み立て、上記板状の材料で上記折り目線に沿って折り曲げて立体的に内容物支持部材を組み立て、該内容物支持部材に上記補助片部で形成した構成部品を取り付ける。
【発明の効果】
【０００９】
請求項１に係る発明によれば、包装箱の内容物支持部材の一部を構成する構成部品を、内容物支持部材を構成する複数の構成片部のうちから選択された所定の構成片部に一体的に形成された補助片部を上記構成片部から切り取って組み立てることができる。したがって、上記構成部品となる補助片部の抜き型が不要となり、使用する抜き型の数を減らすことができる。これにより、製品のコストアップを抑制することができる。また、複数の構成部品を同時に作り込むことができるので、この同時に作り込んだ構成部品で強度の弱い部分を補強したり、収納部を間仕切りして収容性を上げることができる。したがって、内容物支持部材の設計自由度が高くなる。
【００１０】
また、請求項２に係る発明によれば、選択された構成片部が補助片部を切り取った後も所定以上の強度を確保可能な補助片部としたことにより、補助片部を切り取っても内容物支持部材の構成片部としての機能が強度的に損なわれる虞がない。
【００１１】
さらに、請求項３に係る発明によれば、補助片部を構成片部との間に少なくとも二箇所の結合部を残して切り込み部を入れて形成するものとしたことにより、上記結合部の部分を引張ったり、回したりして上記補助片部を容易に切り離すことができる。したがって、刃物等を使用せず上記補助片部を構成片部から容易に切り取ることができ、作業性が向上する。
【００１２】
また、請求項４に係る発明によれば、内容物支持部材の一部を構成する構成部品を組み立てる折り目線を予め形成しているので、補助片部を上記折り目線に沿って折り曲げて内容物支持部材の構成部品を容易に組み立てることができる。
【００１３】
さらに、請求項５に係る発明によれば、箱本体内に収容された内容物に対する外部からの衝撃を緩和する緩衝材と、内容物の付属品を収納する付属品箱とで構成されるものとしたことにより、補助片部を切り取ることができる広い構成片部を上記緩衝材又は付属品箱の複数の構成片部のうちから容易に選択することができる。
【発明を実施するための最良の形態】
【００１４】
以下、本発明の実施形態を添付図面に基づいて詳細に説明する。図１は本発明による包装箱の実施形態を示す斜視図である。この包装箱は、内容物を内容物支持部材で支持して内部に収容して保管し、搬送するものであり、箱本体１と、第１の緩衝材２と、第２の緩衝材３と、付属品箱４とからなる。
【００１５】
上記箱本体１は、内容物としての精密機器５や付属品を収納して保管及び搬送を可能とするものであり、折り目線を介して接続された複数の構成片部を備える一枚の板状の材料、例えば段ボールを上記折り目線に沿って折り曲げ、所定部分を糊付けして立方体形状に組み立てたものである。
【００１６】
上記箱本体１内の下部には、第１の緩衝材２が収容されている。この第１の緩衝材２は、精密機器５に対する外部からの衝撃の影響を緩和する内容物支持部材となるものであり、上記精密機器５の周囲を取り囲んで設けられた側壁部６と、上記精密機器５の底面を支持する底面部７とを備えている。
【００１７】
上記側壁部６は、内側に空洞部を有して横方向からの衝撃を緩和可能にしたものであり、また上記底面部７は、内側に空洞部１０を有して下からの衝撃を緩和可能にしたものである。そして、折り目線を介して接続された複数の構成片部を備える一枚の大きな板状の材料、例えば段ボールを上記折り目線に沿って折り曲げることにより、上記側壁部６と底面部７とを備える上記第１の緩衝材２が形成されるものとなっている。
【００１８】
上記第１の緩衝材２の上方には、第２の緩衝材３が載置されている。この第２の緩衝材３は、収納した精密機器５に対する上方からの衝撃を緩和する内容物支持部材となるものであり、内側に空洞部１９を有した厚板構造をなして、衝撃を緩和できるるようになっている。そして、この第２の緩衝材３も上記第１の緩衝材２と同様に、折り目線を介して接続された複数の構成片部を備える一枚の大きな段ボールを上記折り目線に沿って折り曲げて形成されるものである。
【００１９】
上記第２の緩衝材３の上方には、付属品箱４が載置されている。この付属品箱４は、精密機器５の付属品、例えば図２に示すような電源用ケーブル、接続ケーブル、コネクタ、ＣＤ−ＲＯＭや取扱説明書等の付属品を収納する内容物支持部材となるもので、仕切り８ａ，８ｂ，８ｃを介して第１〜第４の収納部９ａ，９ｂ，９ｃ，９ｄを備えている。そして、この付属品箱４も上記第１及び第２の緩衝材２，３と同様に、折り目線を介して接続された複数の構成片部を備える一枚の段ボールを上記折り目線に沿って折り曲げて形成されるものである。
【００２０】
図３に示すように、上記付属品箱４を構成する複数の構成片部のうち、例えば第１の収納部９ａの底面を構成する構成片部１１には、付属品箱４の構成部品となる補助片部１２が切り取り容易に一体的に設けられている（同図（ｂ）参照）。この補助片部１２は、例えば図２に示す第４の収納部９ｄに収納したＣＤ−ＲＯＭや説明書等が横ずれしないように保持する後述の保持部材１３となるものである（図５（ｃ），（ｄ）参照）。
【００２１】
より具体的には、図４に示すように、予め折り目線１４を形成した上記補助片部１２を第１の収納部９ａの底面を構成する構成片部１１の略中央部に少なくとも二箇所の結合部１５を残して切り込み部１６を入れて形成している。
【００２２】
次に、このように構成された包装箱において、特に付属品箱４の組み立てについて図５を参照して説明する。
先ず、図５（ａ）に示す第１工程においては、付属品箱４用の段ボールを予め形成された折り目線に沿って折り曲げて付属品箱４を立体的に組み立てる。このとき、付属品箱４に設けられた第１の収納部９ａの底面を構成する構成片部１１の略中央部には、ＣＤ−ＲＯＭや説明書等を収納して保持する保持部材１３となる補助片部１２が二箇所の結合部１５を残して切り込み部１６を入れて一体的に形成されている。
【００２３】
次に、図５（ｂ）に示す第２工程においては、上記第１の収納部９ａの構成片部１１から、上記結合部１５の部分を引張ったり回転させて上記補助片部１２を切り取る。これにより、第１の収納部９ａの構成片部１１には、補助片部１２の切り取られた後に孔部１７が生じる。なお、補助片部１２の切り取りは、付属品箱４の組み立て前に行ってもよい。
【００２４】
図５（ｃ）に示す第３工程においては、上記切り取られた補助片部１２を、予め形成された折り目線１４に沿って、その両端部を上方に折り曲げて側面部１３ａとし、横断面凹状の保持部材１３として組み立てる。ここで、上記両側面部１３ａの長手方向両端部は、側方に突出させて係止部１８となしている。
【００２５】
図５（ｄ）に示す第４工程においては、上記保持部材１３を付属品箱４の本体部１０に設けられた第４の収納部９ｄに取り付ける。その際、第４の収納部９ｄの対向する側壁に予め形成された切込部（図示省略）に上記保持部材１３の係止部１８を係合させて保持部材１３を固定する。これにより、付属品箱４が完成する。
【００２６】
そして、図６に示すように、上記保持部材１３によって形成された新たな収納部９ｅにＣＤ−ＲＯＭや説明書等の付属品を収納し、搬送時に横ずれしないように保持する。
【００２７】
一方、上記保持部材１３となる補助片部１２が切り取られた第１の収納部９ａには、図２に示すように、例えば上記補助片部１２よりも大きい付属品を収納するようにすれば、該付属品が補助片部１２の切り取られた孔部１７（図６参照）に落下する虞がない。また、付属品箱４の第１の収納部９ａ底面は、その中央部が切り取られても上記孔部１７の周辺部で収納された付属品を保持することができるので上記孔部１７の存在は強度的に何ら支障とならない。
【００２８】
なお、上記実施形態においては、補助片部１２をＣＤ−ＲＯＭ等の保持部材１３として組み立てる場合について説明したがこれに限られず、補助片部１２は、付属品を収納する小型の収納箱や、収納部を仕切る仕切り板等としてもよい。
【００２９】
また、上記実施形態においては、補助片部１２を付属品箱４の構成片部１１に一体的に設けるものとしたが、これに限られず、第１又は第２の緩衝材２，３の構成片部に設けてもよい。
【図面の簡単な説明】
【００３０】
【図１】本発明による包装箱の実施形態を示す斜視図である。
【図２】上記包装箱に収容される付属品箱にて各付属品を収納する収納部を説明する斜視図である。
【図３】上記付属品箱の収納部の底面を構成する構成片部に設けられた補助片部を説明する斜視図である。
【図４】図３の補助片部を拡大して示す平面図である。
【図５】上記付属品箱の組立てについて説明する工程図である。
【図６】上記付属品箱の収納部に追加形成された新たな収納部への付属品の収納を示す説明図である。
【符号の説明】
【００３１】
１…箱本体
２…第１の緩衝材（内容物支持部材）
３…第２の緩衝材（内容物支持部材）
４…付属品箱（内容物支持部材）
５…精密機器（内容物）
１１…構成片部
１２…補助片部
１４…折り目線
１５…結合部
１６…切り込み部
【図１】
2006193195.tif 000003
【図２】
2006193195.tif 000004
【図３】
2006193195.tif 000005
【図４】
2006193195.tif 000006
【図５】
2006193195.tif 000007
【図６】
2006193195.tif 000008